【手続補正書】
【提出日】平成16年8月19日(2004.8.19)
【手続補正１】
【補正対象書類名】明細書
【補正対象項目名】発明の名称
【補正方法】変更
【補正の内容】
【発明の名称】番組編成方式
【手続補正２】
【補正対象書類名】明細書
【補正対象項目名】特許請求の範囲
【補正方法】変更
【補正の内容】
【特許請求の範囲】
【請求項１】
放送電波の多重可能部分に複数の番組のデータパケットが多重されて放送される多重放送における番組編成方式であって：前記番組編成方式では、
前記多重可能部分に挿入される前記複数の番組各々に各々異なる識別符号が付けられて放送され；
前記複数の番組が挿入されるデータパケットがない多重可能部分に前記複数の番組以外の番組のデータパケットが挿入される番組編成方式。
【請求項２】
前記複数の番組以外の番組のデータパケットに専用の識別符号が付与される請求項１記載の番組編成方式。
【請求項３】
前記複数の番組以外の番組が複数であり、前記複数の番組以外の番組に共通の前記専用の識別符号が付与される請求項２記載の番組編成方式。
【請求項４】
前記複数の番組以外の番組が複数であり、前記複数の番組以外の番組毎に異なる前記専用の識別符号が付与される請求項２記載の番組編成方式。
【請求項５】
前記専用の識別符号により自動受信が行われる請求項２記載の番組編成方式。
【請求項６】
放送電波の多重可能部分がテレビジョン映像信号の垂直帰線期間中の水平走査線である請求項１，請求項２，請求項３，請求項４又は請求項５記載の番組編成方式。
【請求項７】
放送電波の多重可能部分がテレビジョン音声信号の副音声帯域である請求項１，請求項２，請求項３，請求項４又は請求項５記載の番組編成方式。
【請求項８】
放送電波の多重可能部分がＦＭ放送の副音声帯域である請求項１，請求項２，請求項３，請求項４又は請求項５記載の番組編成方式。
【請求項９】
放送電波の多重可能部分がディジタルテレビジョン放送電波である請求項１，請求項２，請求項３，請求項４又は請求項５記載の番組編成方式。
【請求項１０】
放送電波の多重可能部分がディジタル音声放送電波である請求項１，請求項２，請求項３，請求項４又は請求項５記載の番組編成方式。
【請求項１１】
放送電波の多重可能部分がディジタルデータ放送電波である請求項１，請求項２，請求項３，請求項４又は請求項５記載の番組編成方式。
【手続補正３】
【補正対象書類名】明細書
【補正対象項目名】０００６
【補正方法】変更
【補正の内容】
【０００６】
これまでは文字多重放送で放送することができるデータに制限があり、文字データあるいはグラフィックスデータ及びこれらの制御データ以外のデータを放送することはできなかったが、文字データあるいはグラフィックスデータ以外のデータであるコンピュータプログラム等のバイナリデータ、デジタル音声データあるいはデジタルイメージデータ等のデータを放送することが要望され、ＶＢＩ中の走査線で従来使用されていなかった１０Ｈ〜１３Ｈ及び２７３Ｈ〜２７６Ｈの計８本の走査線を利用してこれらの文字データあるいはグラフィックスデータ以外のデータを同様に毎秒５,２８０バイトの速度で放送するデータ放送が開始された。
【手続補正４】
【補正対象書類名】明細書
【補正対象項目名】００１７
【補正方法】変更
【補正の内容】
【００１７】
図４に音声多重データ放送のデータラインを示す。
（ａ）に示されたようにデータ容量２９６ビットのデータラインはデータ容量１６ビットのモードコントロール部(Mode Controller：ＭＣ)１７とデータ容量２７２ビットのデータパケット部１８とから構成されており、後で説明するフレームの先頭に配置されるデータラインにはさらにフレームコントロール部(Frame Controller：ＦＣ)１９が付加される。データパケット部１８は（ｂ）に示されたように、データ容量１４ビットのパケットプリフィックス(Packet preFix：ＰＦ)２０とデータ容量１７６ビットのデータブロック(DATa block：ＤＡＴ)２１とデータ容量８２ビットのチェック符号(CHeck Code：ＣＨＣ)２２から構成されている。（ｃ）に示されたように、パケットプリフィックス２０はデータ容量６ビットの論理チャンネル識別２(Logical Channel Identifier 2:ＬＣＩ２)符号２３，データ容量２ビットのスクランブル制御(SCramble Control:ＳＣＣ)符号２４，データ容量４ビットの連続性指標(Continuity Index：ＣＩ)符号２５及びデータ容量２ビットのデータグループ制御(Data group Transport Control:ＤＴＣ)符号２６から構成されている。なお、論理チャンネル識別１(Logical Channel Identifier 1:ＬＣＩ１)符号は、使用する多重チャンネルを示す符号である。また、多重されるデータはデータブロック２１に挿入される。
なお、データパケット部をスロットと呼ぶこととする。
【手続補正５】
【補正対象書類名】明細書
【補正対象項目名】００３２
【補正方法】変更
【補正の内容】
【００３２】
この場合に各データグループの送出に必要なフィールドは、データグループ［ａ］が４７フィールド，データグループ［ｂ］が３７フィールド，データグループ［ｃ］が４０フィールド，データグループ［ｄ］が１７フィールド，データグループ［ｅ］が３８フィールド，データグループ［ｆ］が４６フィールド，データグループ［ｇ］が３７フィールド，データグループ［ｈ］が２９フィールド，データグループ［ｉ］が４９フィールド，データグループ［ｊ］が４０フィールド，データグループ［ｋ］が２７フィールド，データグループ［ｌ］が２７フィールド，データグループ［ｍ］が２０フィールド，データグループ［ｎ］が１７フィールド，データグループ［ｏ］が３０フィールド，データグループ［ｐ］が９フィールド、合計５１０フィールドとなる。
【手続補正６】
【補正対象書類名】明細書
【補正対象項目名】００３８
【補正方法】変更
【補正の内容】
【００３８】
続いて、ＴＣＤパケットを受信した受信装置が所望のデータパケットの受信を準備するために第５フィールド及び第６フィールドの８個のスロットに運用信号であるＬＣＩ２符号が付与されたダミーパケットが挿入される。
【手続補正７】
【補正対象書類名】明細書
【補正対象項目名】００３９
【補正方法】変更
【補正の内容】
【００３９】
その後データパケットの送出が開始されるが、初めに第７フィールド〜第１１フィールドの２０個のスロットにデータグループａに含まれる［ａ１］〜［ａ２０］のデータパケットが挿入され、次に第１２フィールド〜第１５フィールドの１６個のスロットにデータグループｂに含まれる［ｂ１］〜［ａ１６］のデータパケットが挿入され、その次に第１６フィールド〜第１９フィールドの１６個のスロットにデータグループｃに含まれる［ｃ１］〜［ｃ１６］のデータパケットが挿入される。以降、同様にして第６０フィールドの４個のスロットにデータグループｐに含まれる［ｐ１］〜［ｐ４］のデータパケットが挿入される。
【手続補正８】
【補正対象書類名】明細書
【補正対象項目名】００４４
【補正方法】変更
【補正の内容】
【００４４】
図７に示されたのは本発明実施例２であり、図５の実施例１におけるフィラーパケットに加えて運用上必要な２フィールド分８個のダミーパケットもフィラーパケットとしたものであり、挿入されるフィラーパケットはＦ１〜Ｆ１６０となる。
【手続補正９】
【補正対象書類名】明細書
【補正対象項目名】００５０
【補正方法】変更
【補正の内容】
【００５０】
その後データパケットの送出が開始されるが、初めに第１秒目第７フィールド第１スロット〜第５３フィールド第４スロットの１８８個のスロットにデータグループａに含まれるデータパケットが挿入され、データパケットが挿入されなかった１２個の予約済みのスロットにダミーパケットが挿入され、次に第１秒目第５７フィールド第１スロット〜第２秒目第３３フィールド第２スロットの１４６個のスロットにデータグループｂに含まれるデータパケットが挿入され、データパケットが挿入されなかった１４個の予約済みのスロットにダミーパケットが挿入され、その次に第２秒目第３７フィールド第１スロット〜第３秒目第１６フィールド第３スロットの１５９個のスロットにデータグループｃに含まれるデータパケットが挿入され、データパケットが挿入されなかった１個の予約済みのスロットにダミーパケットが挿入され、以下同様なデータパケットの挿入が繰り返される。
また、初めの１６のデータグループの送出が終了すると新たなＴＣＤ符号が送出され、同様なデータ番組編成が行われる。
【手続補正１０】
【補正対象書類名】明細書
【補正対象項目名】００６０
【補正方法】変更
【補正の内容】
【００６０】
その後データパケットの送出が開始されるが、初めにスロット５〜スロット１１の７個のスロットにデータグループａに含まれる［ａ１］〜［ａ７］のデータパケットが挿入され、次にスロット１２〜スロット１６の５個のスロットにデータグループｂに含まれる［ｂ１］〜［ｂ５］のデータパケットが挿入され、その次にスロット１７〜スロット２２の６個のスロットにデータグループｃに含まれる［ｃ１］〜［ｃ６］のデータパケットが挿入され、スロット２３〜スロット３０の８個のスロットにデータグループｄに含まれる［ｄ１］〜［ｄ８］のデータパケットが挿入され、スロット３１〜スロット３２の２個のスロットにデータグループｅに含まれる［ｅ１］〜［ｅ２］のデータパケットが挿入される。
【手続補正１１】
【補正対象書類名】明細書
【補正対象項目名】００６２
【補正方法】変更
【補正の内容】
【００６２】
このようにしてデータパケットの挿入が行われ、挿入するべきデータがないフレーム８のスロット４，スロット３１〜スロット３２，フレーム９のスロット４〜スロット７，スロット１１〜スロット１２，スロット１８，スロット２１〜スロット２６，スロット２７〜スロット２８にダミーパケットが挿入され、挿入されるダミーパケットの数は受信動作を行わせるための２個及び空きスロット用の１８個の合計２０個である。
【手続補正１２】
【補正対象書類名】明細書
【補正対象項目名】００６９
【補正方法】変更
【補正の内容】
【００６９】
その後データパケットの送出が開始されるが、初めにフレーム１スロット５〜フレーム３スロット４の６６個のスロットにデータグループａに含まれるデータパケットが挿入され、データパケットが挿入されなかった４個の予約済みスロットにダミーパケットが挿入され、次にフレーム３スロット１１〜フレーム４スロット２６の４８個のスロットにデータグループｂに含まれるデータパケットが挿入され、データパケットが挿入されなかった２個の予約済みスロットにダミーパケットが挿入され、その次にフレーム４スロット２９〜フレーム６スロット２３の５９個のスロットにデータグループｃに含まれるデータパケットが挿入され、データパケットが挿入されなかった１個の予約済みスロットにダミーパケットが挿入され、その次にフレーム６スロット２５〜フレーム９スロット２の７２個のスロットにデータグループｄに含まれるデータパケットが挿入され、データパケットが挿入されなかった６個の予約済みスロットにダミーパケットが挿入され、最後にフレーム９スロット９〜スロット２３の１５個のスロットにデータグループｅに含まれるデータパケットが挿入され、データパケットが挿入されなかった５個の予約済みスロットにダミーパケットが挿入される。
また、初めの５個のデータグループの送出が終了すると新たなＴＣＤ符号が送出され、同様なデータ多重番組編成が行われる。
【手続補正１３】
【補正対象書類名】明細書
【補正対象項目名】００７１
【補正方法】変更
【補正の内容】
【００７１】
図１５に示されたのは本発明実施例７であり、データグループに含まれる全データパケットの送出が終了した後の空いたスロットに挿入されるダミーパケットに代えてフィラーパケットＦ１〜Ｆ１８が挿入される。これらのフィラーパケットについての説明はこれまでに説明した各実施例の場合と同様であるので、ここで再度の記載することは省略する。
【手続補正１４】
【補正対象書類名】明細書
【補正対象項目名】００７２
【補正方法】変更
【補正の内容】
【００７２】
図１６に示されたのは本発明実施例８であり、図１５の実施例７におけるフィラーパケットに加えて運用上必要な２スロットのダミーパケットもフィラーパケットとしたものであり、挿入されるフィラーパケットはＦ１〜Ｆ２２となる。
ここでも実施例７の場合と同様にフィラーパケットについての説明は省略する。
【手続補正１５】
【補正対象書類名】図面
【補正対象項目名】図４
【補正方法】変更
【補正の内容】
【図４】
1999069321.tif 000001
【手続補正１６】
【補正対象書類名】図面
【補正対象項目名】図５
【補正方法】変更
【補正の内容】
【図５】
1999069321.tif 000002
【手続補正１７】
【補正対象書類名】図面
【補正対象項目名】図６
【補正方法】変更
【補正の内容】
【図６】
1999069321.tif 000003
【手続補正１８】
【補正対象書類名】図面
【補正対象項目名】図７
【補正方法】変更
【補正の内容】
【図７】
1999069321.tif 000004
【手続補正１９】
【補正対象書類名】図面
【補正対象項目名】図８
【補正方法】変更
【補正の内容】
【図８】
1999069321.tif 000005
【手続補正２０】
【補正対象書類名】図面
【補正対象項目名】図９
【補正方法】変更
【補正の内容】
【図９】
1999069321.tif 000006
【手続補正２１】
【補正対象書類名】図面
【補正対象項目名】図１０
【補正方法】変更
【補正の内容】
【図１０】
1999069321.tif 000007
【手続補正２２】
【補正対象書類名】図面
【補正対象項目名】図１１
【補正方法】変更
【補正の内容】
【図１１】
1999069321.tif 000008